(57)【特許請求の範囲】
【請求項１】
互いに異なる化粧料が収容される複数の充填部が設けられた化粧料収容部、化粧料の種類に対応する複数の化粧用具が収納された化粧用具収納部、および蓋を有する化粧料容器であって、
複数の充填部は、互いに形状と大きさの少なくとも１つが異なるように形成され、
複数の化粧用具は、互いに形状と大きさの少なくとも１つが異なるように形成され、
所定の化粧料に対応する化粧用具は、前記所定の化粧料が収容される充填部と類似の形状および大きさに形成されており、
複数の化粧用具の全てまたは一部が互いに結合されて一体となっていることを特徴とする化粧料容器。
【請求項２】
前記化粧料収容部と前記化粧用具収納部が容器本体に並列に配置され、前記蓋が前記化粧料収容部および前記化粧用具収納部を開閉可能に前記容器本体に係合されていることを特徴とする請求項１に記載の化粧料容器。
【請求項３】
前記化粧料収容部と前記化粧用具収納部が容器本体に上下２段に配置され、上段に前記化粧料収容部が配置され、下段に前記化粧用具収納部がスライドして容器本体に収納可能に配置され、前記蓋が前記化粧料収容部を開閉可能に容器本体に係合されていることを特徴とする請求項１に記載の化粧料容器。
【請求項４】
容器本体に前記化粧料収容部と前記化粧用具収納部が並列に配置され、
前記化粧用具収納部は、前記容器本体とスライド式で係合されており、前記容器本体に収容され、前記容器本体の側面から取り出し可能であり、
前記化粧用具収納部が容器本体に収納されている時に、前記化粧用具収納部と一体に形成された前記蓋が、前記容器本体の前記化粧料収容部の上方に設けられた開口を閉じており、前記化粧用具収納部が容器本体から取り出された時に、前記蓋が前記化粧用具収納部と共にスライドして前記化粧料収容部の上方が開かれることを特徴とする請求項１に記載の化粧料容器。
【請求項５】
前記化粧用具収納部に、複数の化粧用具を個別に収納するための仕切り壁が設けられていることを特徴とする請求項１〜４のいずれか１項に記載の化粧料容器。
【請求項６】
前記化粧用具が使用時に互いに連結可能であることを特徴とする請求項１〜５のいずれか１項に記載の化粧料容器。
【請求項７】
前記化粧用具が収納時に互いに重ねて連結して１つとなることを特徴とする請求項１〜６のいずれか１項に記載の化粧料容器。
【発明の詳細な説明】
【技術分野】
【０００１】
本発明は、複数の化粧料と化粧用具を収納可能な化粧料容器に関する。
【背景技術】
【０００２】
化粧料容器の１つとして、１つの化粧料容器に複数の化粧料、例えば、アイシャドウ、ファンデーションといった種類の異なる化粧料、あるいは同じ化粧料、例えばアイシャドウでも色の異なる複数のアイシャドウを収容し、コンパクト等の持ち運びがしやすい大きさに形成された化粧料容器が多数用いられている。
【０００３】
また、このような複数の化粧料が収容された化粧料容器を使用する際には複数の化粧用具が必要となるが、収容されている化粧料の種類や色に応じて複数の化粧用具が収納可能な化粧料容器も用いられている（特許文献１参照）。
【先行技術文献】
【特許文献】
【０００４】
【特許文献１】特開２００８−１５４６４２号公報
【発明の概要】
【発明が解決しようとする課題】
【０００５】
しかしながら、複数の化粧料および化粧用具を１つの化粧料容器に収容していると、自分が使いたい化粧料にどの化粧用具を用いるのか分かりにくいという問題があった。このような問題を解決するために、フィルムあるいはシートに化粧料の使用方法等を記載したものを容器に内蔵する方法が用いられている。
【０００６】
しかし、上述のような方法だとフィルムあるいはシートを紛失すると、化粧用具の使用方法がわからなくなってしまうという問題があった。シート等を紛失しない方法として、特許文献１には、シートを容器から取り外さずに使用する方法が記載されているが、いずれの場合にも、化粧を行う時にその都度シートの記載事項を確認しなければならず、使い勝手がよいとは言えなかった。
【０００７】
そこで、本発明は前記問題を解決するために、化粧用具をどの化粧料に使用するのかが一目でわかる化粧料容器を提供することを目的とする。
【課題を解決するための手段】
【０００８】
本発明の化粧料容器は、互いに異なる化粧料が収容される複数の充填部が設けられた化粧料収容部、化粧料の種類に対応する複数の化粧用具が収納された化粧用具収納部、および蓋を有する化粧料容器であって、複数の充填部は、互いに形状と大きさの少なくとも１つが異なるように形成され、複数の化粧用具は、互いに形状と大きさの少なくとも１つが異なるように形成され、所定の化粧料に対応する化粧用具は、前記所定の化粧料が収容される充填部と類似の形状および大きさに形成されていることを特徴とする。
【０００９】
前記化粧料収容部と前記化粧用具収納部が容器本体に並列に配置され、前記蓋が前記化粧料収容部および前記化粧用具収納部を開閉可能に前記容器本体に係合されている。
【００１０】
あるいは、前記化粧料収容部と前記化粧用具収納部が容器本体に上下２段に配置され、上段に前記化粧料収容部が配置され、下段に前記化粧用具収納部がスライドして容器本体に収納可能に配置され、前記蓋が前記化粧料収容部を開閉可能に容器本体に係合されている。
【００１１】
さらに別の形態として、容器本体に前記化粧料収容部と前記化粧用具収納部が並列に配置され、前記化粧用具収納部は、前記容器本体とスライド式で係合されており、前記容器本体に収容され、前記容器本体の側面から取り出し可能であり、前記化粧用具収納部が容器本体に収納されている時に、前記化粧用具収納部と一体に形成された前記蓋が、前記容器本体の前記化粧料収容部の上方に設けられた開口を閉じており、前記化粧用具収納部が容器本体から取り出された時に、前記蓋が前記化粧用具収納部と共にスライドして前記化粧料収容部の上方が開かれる。
【００１２】
前記化粧用具収納部に、複数の化粧用具を個別に収納するための仕切り壁を設けることもできる。
【００１３】
複数の化粧用具の全てまたは一部が互いに結合されて一体とすることや、前記化粧用具が使用時に互いに連結可能とすることもでき、さらに、前記化粧用具が収納時に互いに重ねて連結して１つとすることも可能である。
【発明の効果】
【００１４】
本発明の化粧料容器は、互いに異なる化粧料が収容される複数の充填部が設けられた化粧料収容部、化粧料の種類に対応する複数の化粧用具が収納された化粧用具収納部、および蓋を有する化粧料容器であって、複数の充填部は、互いに形状と大きさの少なくとも１つが異なるように形成され、複数の化粧用具は、互いに形状と大きさの少なくとも１つが異なるように形成され、所定の化粧料に対応する化粧用具は、前記所定の化粧料が収容される充填部と類似の形状および大きさに形成されていることにより、使用する化粧料が収納されている充填部を見ると、使用する化粧用具を簡単に選択することができ、化粧用具を誤って使用することを防止することができる。
【００１５】
前記化粧料収容部と前記化粧用具収納部が容器本体に並列に配置され、前記蓋が前記化粧料収容部および前記化粧用具収納部を開閉可能に前記容器本体に係合されていることにより、蓋を開ければすぐに化粧をすることができる。
【００１６】
あるいは、前記化粧料収容部と前記化粧用具収納部が容器本体に上下２段に配置され、上段に前記化粧料収容部が配置され、下段に前記化粧用具収納部がスライドして容器本体に収納可能に配置され、前記蓋が前記化粧料収容部を開閉可能に容器本体に係合されていることにより、よりコンパクトな形状とすることができる。
【００１７】
さらに別の形態として、容器本体に前記化粧料収容部と前記化粧用具収納部が並列に配置され、前記化粧用具収納部は、前記容器本体とスライド式で係合されており、前記容器本体に収容され、前記容器本体の側面から取り出し可能であり、前記化粧用具収納部が容器本体に収納されている時に、前記化粧用具収納部と一体に形成された前記蓋が、前記容器本体の前記化粧料収容部の上方に設けられた開口を閉じており、前記化粧用具収納部が容器本体から取り出された時に、前記蓋が前記化粧用具収納部と共にスライドして前記化粧料収容部の上方が開かれることにより、スライド量が容器の約半分の長さになり、蓋を開けた状態でも全体の大きさが小さくなるので、使用時の安定性が高まり、使い勝手が向上する。
【００１８】
前記化粧用具収納部に、複数の化粧用具を個別に収納するための仕切り壁を設けることで、化粧用具を簡単に所定の位置に収納することが可能となる。
【００１９】
複数の化粧用具の全てまたは一部を互いに結合して一体とすることや、前記化粧用具を使用時に互いに連結可能とすることにより、小さな化粧用具の使い勝手が向上され、さらに、前記化粧用具を収納時に互いに重ねて連結して１つとすることにより、化粧用具収納部を小さくすることができ、化粧料容器全体も小さくすることが可能となる。
【図面の簡単な説明】
【００２０】
【図１】第１の実施形態の化粧料容器の斜視図である。
【図２】第１の実施形態の化粧料容器の平面図である。
【図３】複数の化粧用具を一体化したものの平面図である。
【図４】組み合わせが可能な化粧用具の平面図であり、（ａ）が組み合わせる前の化粧用具の平面図、（ｂ）（ｃ）は組み合わせた状態の化粧用具の平面図である。
【図５】第２の実施形態の化粧料容器の平面図である。
【図６】第３の実施形態の化粧料容器の斜視図である。
【図７】第４の実施形態の化粧料容器の斜視図であり、（ａ）が閉じた状態を示し、（ｂ）が開いた状態を示す。
【図８】第４の実施形態の化粧料容器の概略断面図であり、（ａ）が閉じた状態を示し、（ｂ）が開いた状態を示す。
【発明を実施するための形態】
【００２１】
本発明を、図を用いて以下に詳細に説明する。図１が本発明の第１の実施形態の化粧料容器１の斜視図であり、図２が化粧料容器１の平面図である。
【００２２】
本実施形態の化粧料容器１は、容器本体２と蓋８から構成され、蓋８が容器本体２にヒンジ結合されて開閉可能となっており、前記蓋８には鏡９を設けている。容器本体２には、化粧料収容部３と化粧用具収納部４が縦方向に並列に形成されており、前記化粧料収容部３には３個の充填部５，５’、５’’が形成され、各充填部５，５’、５’’には異なる３種類の化粧料６，６’，６’’が収容されている。前記化粧料６，６’，６’’として、例えば、アイシャドウ、ファンデーションといった種類の異なる化粧料、あるいは同じ化粧料でも色の異なる化粧料が収容されている。
【００２３】
さらに、前記充填部５，５’、５’’は、互いに少なくとも形状あるいは大きさが異なるように形成されており、本実施形態では、類似の三角形ではあるが大きさの異なる２個の充填部５，５’、そして、前記充填部５，５’とは形状および大きさの異なる四角形の充填部５’’が形成され、それぞれ異なる化粧料６，６’，６’’が収容されている。
【００２４】
前記充填部５，５’、５’’は、前記化粧料収容部３に一体形成されて仕切り壁によって区切られているが、各充填部５，５’、５’’を前記化粧料収容部３から取り外し可能に形成してもよい。また、前記充填部５，５’、５’’の形状および個数は特にここに記したものに限定するのではなく、収容される化粧料の種類や個数、あるいはデザイン性を考慮して様々なものを用いることができる。
【００２５】
前記化粧道具収納部４には、前記３種類の化粧料６，６’，６’’にそれぞれ対応する３種類の化粧用具７，７’，７’’が収納されており、各化粧用具７，７’，７’’は少なくとも形状あるいは大きさが異なり、かつ、各化粧用具７，７’，７’’を使用する各化粧料６，６’，６’’が収容されている各充填部５，５’、５’’と類似の形状および大きさに形成されている。
【００２６】
本実施形態では、化粧用具７が化粧料６に、化粧用具７’が化粧料６’に、化粧用具７’’が化粧料６’’に対応しているので、化粧用具７は化粧料６が収容されている充填部５と類似に、化粧用具７’は化粧料６’が収容されている充填部５’と類似に、化粧用具７’’は化粧料６’’が収容されている充填部５’’と類似に形成されている。
【００２７】
各化粧用具７，７’，７’’は持ち手部とチップ、ブラシといった先端部から構成されているのま全く同じ形状にするのは難しい場合もあるが、先端部を含めた全体の形状が各充填部５，５’、５’’と類似となるように形成されている。持ち手部は各充填部５，５’、５’’の一部とほぼ同じ形状となるように形成され、先端部は使用する化粧料の種類に応じて選択される。
【００２８】
本発明の化粧料容器１は、図２の平面図を見るとよくわかるが、蓋８を開くと、上下に各化粧料６，６’，６’’と各化粧料６，６’，６’’が収容された各充填部５，５’、５’’と類似の各化粧用具７，７’，７’’が配置されているので、化粧をする際に自分が使いたい化粧料６，６’，６’’に対してどの化粧用具７，７’，７’’を使用すればよいのか一目でわかるので、シートや説明書を見なくても、誰もが間違うことなく適切な化粧用具７，７’，７’’を使用することができる。
【００２９】
前記化粧用具７，７’，７’’および前記充填部５，５’、５’’には様々な形状を用いることができ、さらに、類似の形状が容器本体２に上下に配置されることで、化粧料容器１のデザイン性が向上し、ビジュアル的にも従来の化粧料容器とは差別化を図ることができる。
【００３０】
前記化粧用具７，７’，７’’は、前記充填部５，５’、５’’と類似の形状とする必要があるので、場合によっては化粧用具の大きさが小さくなり、使い勝手が悪くなる場合がある。このような問題を解消するために、以下のような化粧用具を用いることができる。
【００３１】
１つの方法としては、図３に示すように、いくつかの化粧用具７，７’，７’’を一体化させて化粧用具を大きくする方法である。例えば、図３（ａ）に示すように、前記化粧用具７’と前記化粧用具７’’を一体とする、あるいは、図３（ｂ）に示すように、前記化粧用具７と前記化粧用具７’とを一体とする、さらに、図３（ｃ）に示すように、全ての化粧用具７，７’，７’’を一体とすることが可能である。
【００３２】
図３（ｃ）のように全ての化粧用具７，７’，７’’を一つにした場合、使い勝手を向上させるために、指を入れる孔１０を設けることもできる。また、いずれの場合にも、各化粧用具７，７’，７’’の形状が各充填部５，５’、５’’と類似であることがわかりやすいように、各化粧用具７，７’，７’’の境目の部分にラインをプリントしたり、スリット状の窪みを設けたりすることが好ましい。
【００３３】
また、別の方法としては、予め各化粧用具７，７’，７’’を一体とするのではなく、必要な時に組み合わせることができる構造を用いることもできる。例えば、化粧料容器１に収容されている時は、図１，２に示したように、各々が別々の状態であったものを、化粧する時に各化粧用具７，７’，７’’の一部または全てを組み合わて使用する方法がある。
【００３４】
この場合、化粧用具７，７’，７’’に連結部を設けて互いに連結して組み合わせる構造とする。連結部の例としては、例えば、図４（ａ）に示すように、前記化粧用具７に凸部１１を設け、前記化粧用具７’および前記化粧用具７’’には孔１２を設け、前記凸部１１を前記孔１２に挿入することで、使用する際に必要に応じて前記化粧用具７，７’，７’’を組み合わせる方法がある。
【００３５】
図４（ｂ）に組み合わせ例として、化粧用具７の凸部１１を化粧用具７’の孔１２に挿入して、化粧用具７と化粧用具７’を組み合わせたものを記載している。化粧用具７’の代わりに化粧用具７’’を組み合わせることもできる。このように、連結部を設けて化粧用具７，７’，７’’を互いに組み合わせることで、前記化粧用具７，７’，７’’が小さい場合にも、使用する際に全体を大きくすることで使い勝手を向上させることができる。
【００３６】
また、別の方法として、前記化粧用具７，７’，７’’を収納時に組み合わせることもできる。上述のような凸部１１と孔１２からなる連結部を使用して、図４（ｃ）に示すように、前記化粧用具７，７’，７’’を重ね合わせて一つとする。この時、最も大きい化粧用具７に前記化粧用具７よりも小さい残りの２個の化粧用具７’，７’’が隠れるようにする。これにより、収納時には前記化粧用具７，７’，７’’を組み合わせて平面形状を小さくすることができるので化粧用具収納部４の配置場所や形状をより自由に選択することふができ、全体がよりコンパクトな化粧料容器とすることが可能となる。
【００３７】
次に、第２の実施形態の化粧料容器１’について説明する。本実施形態の化粧料容器１’は、図５に示すように、容器本体２’に化粧料収容部３’と化粧用具収納部４’を横方向に並列に配置し、さらに、前記化粧料収容部３’の充填部５，５’、５’’と前記化粧用具収納部４’に収納されている化粧用具７，７’，７’’とが左右対称となるように配置したものである。これにより、化粧料容器１’の蓋８’を開けた時のデザイン性がさらに向上される。このような配置は、第１の実施形態のように縦方向に化粧料収容部３と化粧用具収納部４を並列に配置した場合にも用いることができる。
【００３８】
さらに、前記化粧用具７，７’，７’’を正確な位置に収納しやすいように、前記化粧用具収納部４’には、仕切り壁１３を設けて、各化粧用具７，７’，７’’を収納するスペースを区切っている。前記仕切り壁１３によって仕切られた各スペースの形状は、前記充填部５，５’、５’’とほぼ同じ形状となっており、これにより、前記化粧用具７，７’，７’’をどのように前記化粧用具収納部４’に収納すればよいかも一目でわかるようになり、さらに、使用時にも簡単にどの化粧用具７，７’，７’’を使用すればよいかが簡単にわかるようになる。
【００３９】
次に、第３の実施形態の化粧料容器１’’について説明する。本実施形態の化粧料容器１’’は、図６に示すように、容器本体２’’に上下２段に化粧料収容部３’’と化粧用具収納部４’’を配置したものであり、上段に前記化粧料収容部３’’が配置され、下段に前記化粧用具収納部４’’がスライドして容器本体２’に収納可能に配置されている。
【００４０】
そして、前記化粧料収容部３’’には３個の形状あるいは大きさの異なる充填部５，５’、５’’が形成され、各充填部５，５’、５’’には異なる３種類の化粧料６，６’，６’’が収容されており、前記化粧道具収納部４’’には、前記３種類の化粧料６，６’，６’’にそれぞれ対応する３種類の化粧用具７，７’，７’’が収納されており、各化粧用具７，７’，７’’は少なくとも形状あるいは大きさが異なり、かつ、各化粧用具７，７’，７’’を使用する各化粧料６，６’，６’’が収容されている各充填部５，５’、５’’と類似の形状および大きさに形成されている。
【００４１】
上段の化粧料収容部３’’は、蓋８’’により開閉され、下段の化粧用具収納部４’’は手前にスライドさせると容器本体２’から取り出されて、化粧用具７，７’，７’’を取り出して使用できる状態となる。このように上下２段に化粧料収容部３’’と化粧用具収納部４’’を配置すると、並列に配置する場合よりも、化粧料容器１’’の厚みは増加するが平面形状は小さくすることができるので、デザイン性、使い勝手、持ち運び易さ等を考慮して、様々な配置方法を選択することができる。
【００４２】
次に、第４の実施形態の化粧料容器２１について説明する。化粧料容器２１は第１の実施形態と同様に、容器本体２２には、化粧料収容部２３と化粧用具収納部２４が縦方向に並列に配置されているが、前記化粧道具収納部２４をスライドさせると同時に前記化粧料収容部２３が開閉される構造を用いている。
【００４３】
図７に示すように、本実施形態の化粧料容器２１は、容器本体２２に化粧料収容部２３と化粧用具収納部２４が縦方向に並列に配置され、前記化粧料収容部２３が奥側に、そして前記化粧用具収納部２４が手前側に配置され、前記化粧用具収納部２４が手前側にスライドして容器本体２２から取り出すことができる構造となっている。
【００４４】
そして、前記化粧料収容部２３には３個の形状あるいは大きさの異なる充填部５，５’、５’’が形成され、各充填部５，５’、５’’には異なる３種類の化粧料６，６’，６’’が収容されており、前記化粧道具収納部２４には、前記３種類の化粧料６，６’，６’’にそれぞれ対応する３種類の化粧用具７，７’，７’’が収納されており、各化粧用具７，７’，７’’は少なくとも形状あるいは大きさが異なり、かつ、各化粧用具７，７’，７’’を使用する各化粧料６，６’，６’’が収容されている各充填部５，５’、５’’と類似の形状および大きさに形成されている。
【００４５】
前記化粧用具収納部２４には蓋２８が一体に形成され、前記蓋２８が前記化粧用具収納部２４と共にスライドすることで、前記化粧料収容部２３を開閉する。また、使い勝手を考えて前記容器本体２２の上面には鏡２９を設けている。前記容器本体２２の略中央には前記化粧料有用部２３と前記化粧用具収納部２４とを仕切る壁２５が設けられている。そして、前記容器本体２２の前記化粧料収容部２４の上方の範囲には開口２６が設けられている。さらに、前記容器本体２２の側面には前記化粧用具収納部２４が出し入れされる開口３０が設けられている。
【００４６】
図７に示すように、前記容器本体２２の内側の両側面には、前記蓋２８の両側面を保持し、前記蓋２８が移動可能な大きさの溝２７が、前記容器本体２２の開口３０から一番奥まで形成されており、前記溝２７に挿入された前記蓋２８がスライド可能となっており、これにより、前記化粧用具収納部２４も前記蓋２８と共に容器本体２２にスライド可能となる。
【００４７】
前記壁２５の上方には、スリット３３が設けられ、前記スリット３３は前記蓋２８が移動可能な大きさに形成されている。これによって、図８（ａ）に示すように、前記化粧用具収納部２４が前記容器本体２２の奥へとスライドした時に、前記蓋２８が前記スリット３３から前記化粧料収容部２３の上方へと移動して前記開口２６を塞ぐ状態となる。
【００４８】
前記化粧用具収納部２４を容器本体２２から手前へとスライドさせて取り出すと、前記蓋２８の両側面が前記容器本体２２に設けられた溝２７内を移動し、前記壁２５の上部に設けられたスリット３３をスライドしながら移動し、図８（ｂ）に示すように、前記開口２６が開放されて前記化粧料収容部２４の上方が開いた状態となり、化粧ができる状態となる。
【００４９】
前記容器本体２の両側面の端部には、前記容器本体２２の両側面凹状の切り欠き３１が設けられ、前記化粧用具収納部２４には、前記化粧用具収納部２４を容器本体２２に収納した時に、前記凹状の切り欠き３１に嵌る凸部３２が設けられており、前記凸部３２を持つと化粧用具収納部２４を取り出しやすくなっている。
【００５０】
本実施形態の化粧料容器２１は、前記化粧道具収納部２４を取り出す時のスライド量は容器本体２２の長さの約半分となるので、少ないスライド量であっても化粧料収容部２３および化粧用具収納部２４を完全に開くことができ、よりコンパクトなスライド式の化粧料容器が可能となり、開いた状態でも安定性が増し、使い勝手のよいスライド式の化粧料容器が実現できる。
【符号の説明】
【００５１】
１，１’，１’’  化粧料容器
２，２’，２’’  容器本体
３，３’，３’’  化粧料収容部
４，４’，４’’  化粧用具収納部
５，５’，５’’  充填部
６，６’，６’’  化粧料
７，７’，７’’  化粧用具
８，８’，８’’  蓋
９      鏡
１０    孔
１１    凸部
１２    孔
１３    仕切り壁
２１    化粧料容器
２２    容器本体
２３    化粧料収容部
２４    化粧用具収納部
２５    壁
２６    開口
２７    開口
２８    蓋
２９    鏡
３０    開口
３１    切り欠き
３２    凸部
３３    スリット
【図１】
0005465961.tif 000002
【図２】
0005465961.tif 000003
【図３】
0005465961.tif 000004
【図４】
0005465961.tif 000005
【図５】
0005465961.tif 000006
【図６】
0005465961.tif 000007
【図７】
0005465961.tif 000008
【図８】
0005465961.tif 000009